(57)【要約】【課題】構造が簡単であって安価に提供することができる携帯式の簡便な粘着力テスターを提供する。【解決手段】支持枠１に固定された上側固定板３と下側固定板５との間には案内手段７を介して作動板９を上下動自在に配設し、該作動板９と下側固定板５との間には該作動板９を常時上方に押すばね１１を取り付け、該作動板９には上側固定板３と下側固定板５とを上下方向に貫通するばね式のテンションゲージ１３を固定し、該テンションゲージ１３の下端には被測定物１７に対する当接片１５を取り付けたことを特徴とする粘着力テスター。【選択図】図１
0003123580.tif 000002
【実用新案登録請求の範囲】
【請求項１】
支持枠に固定された上側固定板と下側固定板との間には案内手段を介して作動板を上下動自在に配設し、該作動板と下側固定板との間には該作動板を常時上方に押すばねを取り付け、該作動板には上側固定板と下側固定板とを上下方向に貫通するばね式のテンションゲージを固定し、該テンションゲージの下端には被測定物に対する当接片を取り付けたことを特徴とする粘着力テスター。
【請求項２】
前記案内手段は、上側固定板と下側固定板との間に上下方向の雄ねじ棒を回転自在かつ進退不能に配設し、作動板には該雄ねじ棒に対応する雌ねじ部を備えさせ、該作動板の雌ねじ部を該雄ねじ棒に螺合させてなることを特徴とする請求項１に記載の粘着力テスター。
【請求項３】
前記当接片は透明であることを特徴とする請求項１又は２に記載の粘着力テスター。
【請求項４】
前記支持枠の下端には前記当接片を被測定物の中心に当接させるための凹部を形成したことを特徴とする請求項１〜３のいずれかに記載の粘着力テスター。
【考案の詳細な説明】
【技術分野】
【０００１】
本考案は、粘着力テスターに関するものであり、例えば筒状体、板状体等の被測定物の粘着力を容易に計測することができる携帯式の簡便な粘着力テスター（粘着力計測器）に係るものである。
【背景技術】
【０００２】
特開平６−２７３３１６号公報は、粘着力測定装置（以下「従来の粘着力測定装置」という。）を開示している。
【０００３】
従来の粘着力測定装置は、ボディーハウジング内に配した駆動源と、動力伝達機構と、プランジャ部材と、応力検知手段と、プランジャ部材の制御機構等を備えている。
【特許文献１】特開平６−２７３３１６号公報
【考案の開示】
【考案が解決しようとする課題】
【０００４】
従来の粘着力測定装置は、携帯型ではあるが、構造が複雑であって、製造コストが嵩むものである。
【０００５】
本考案は、従来の粘着力測定装置におけるこのような問題を解決し、構造が簡単であって安価に提供することができる携帯式の簡便な粘着力テスターを提供しようとしてなされたものである。
【課題を解決するための手段】
【０００６】
上記課題を解決するために、本考案は下記の粘着力テスターを提供する。
【０００７】
（１）支持枠に固定された上側固定板と下側固定板との間には案内手段を介して作動板を上下動自在に配設し、該作動板と下側固定板との間には該作動板を常時上方に押すばねを取り付け、該作動板には上側固定板と下側固定板とを上下方向に貫通するばね式のテンションゲージを固定し、該テンションゲージの下端には被測定物に対する当接片を取り付けたことを特徴とする粘着力テスター（請求項１）。
【０００８】
（２）前記案内手段は、上側固定板と下側固定板との間に上下方向の雄ねじ棒を回転自在かつ進退不能に配設し、作動板には該雄ねじ棒に対応する雌ねじ部を備えさせ、該作動板の雌ねじ部を該雄ねじ棒に螺合させてなる（請求項２）。
【０００９】
（３）前記当接片は透明である（請求項３）。
【００１０】
（４）前記支持枠の下端には前記当接片を被測定物の中心に当接させるための凹部を形成する（請求項４）。
【００１１】
本考案において、「上」とは添付図面の各図における上方をいい、「下」とは添付図面の各図における下方をいうものとする。
【００１２】
［考案の作用］
［請求項１の考案］
粘着力テスターを使用する際には、支持枠を被測定物の表面に当接させ、作動板と下側固定板との間のばねの力に抗して作動板を手で押し下げる。しかるときは、テンションゲージ全体が作動板と共に下降し、テンションゲージ下端の当接片が被測定物の表面に当接し、該表面に粘着される。当接片が被測定物の表面に確実に粘着された状態で、作動板を押し下げる力を解除する。しかるときは、作動板がばねの力により上昇し、テンションゲージ本体が作動板と共に上昇する。換言すれば、被測定物の表面に粘着されているテンションゲージ下端の当接片はテンションゲージ本体に対して相対的に下方に引かれることになる。やがて、テンションゲージ下端の当接片は被測定物の粘着力に抗して該被測定物の表面から離れるが、その離れる直前にテンションゲージにより測定される値が被測定物の粘着力である。
【００１３】
[請求項２の考案]
作動板が上下動するときには、作動板の雌ねじ部に螺合している雄ねじ棒は進退することなく回転する。従って、作動板がばねの力により上昇するときには、該作動板の上昇速度は好ましく減速される。
【００１４】
[請求項３の考案]
テンションゲージ下端の当接片は透明であるため、当接片と被測定物との粘着面を目視することができる。
【００１５】
[請求項４の考案]
被測定物がロール等の筒状体である場合、支持体下端の凹部を該筒状体に当接させたときには、テンションゲージ下端の当接片は被測定物の中心に当接する。図４参照。
【考案の効果】
【００１６】
［請求項１の考案］
本考案の粘着力テスターは、市販されているばね式のテンションゲージ（プッシュプルテンションゲージ）を利用して製造することができ、かつ、構造が簡単であるため、極めて安価に提供することができる。また、使用し易く、携帯にも便利である。
【００１７】
[請求項２の考案]
作動板がばねの力により上昇するときには、該作動板の上昇速度は好ましく減速されるため、粘着力テスターは使い易いものとなる。
【００１８】
[請求項３の考案]
テンションゲージ下端の当接片は透明であるため、当接片と被測定物との粘着面を目視することができ、該当接片が被測定物の表面に確実に粘着しているか否かを容易に確認することができる。
【００１９】
[請求項４の考案]
被測定物がロール等の筒状体である場合、支持体下端の凹部を該筒状体に当接させることにより、テンションゲージ下端の当接片を被測定物の中心に確実に当接させることができる。
【考案を実施するための最良の形態】
【００２０】
符号１に示すものは支持枠である。
【００２１】
図示の事例における支持枠１は、一対の板状体１ａ、１ｂとよりなる。
【００２２】
支持枠１には上側固定板３と下側固定板５とを固定する。
【００２３】
上側固定板３と下側固定板５との間には案内手段７を介して作動板９を上下動自在に配設する。
【００２４】
作動板９と下側固定板５との間には該作動板９を常時上方に押すばね１１を取り付ける。
【００２５】
作動板９には上側固定板３と下側固定板５とを上下方向に貫通するばね式のテンションゲージ１３を固定し、該テンションゲージ１３の下端には被測定物１７の表面に粘着される当接片１５を取り付ける。なお、テンションゲージ１３は、一例として、ねじ１６を緩めることにより、高さ調節可能とする。
【００２６】
ばね式のテンションゲージ１３は、ばねを用いたテンションゲージである。一例として、プッシュプルテンションゲージを利用し、下端にフックに代えて被測定物１７の表面に粘着される当接片１５を取り付ける。
【００２７】
図示の事例においては、二つの案内手段７ａ、７ｂが用いられている。
【００２８】
案内手段７ａは、一例として、上側固定板３と下側固定板５との間に上下方向の案内杆１９を取り付け、作動板９には該作動板９を上下方向に貫く摺接管２１を備えさせ、該摺接管２１を案内杆１９に摺嵌してなる。
【００２９】
別の案内手段７ｂは、一例として、上側固定板３と下側固定板５との間に上下方向の雄ねじ棒２３を回転自在かつ進退不能に配設し、作動板９には該雄ねじ棒２３に対応する雌ねじ部２５を備えさせ、該作動板９の雌ねじ部２５を該雄ねじ棒２３に螺合させてなる。
【００３０】
符合２７に示すものは雄ねじ棒２３の上端２３ａを支承する軸受であり、符号２９に示すものは雄ねじ棒２３の下端２３ｂを支承する軸受である。
【００３１】
テンションゲージ１３の下端に取り付けられる当接体１５は、好ましくは透明の合成樹脂により形成する。
【００３２】
前記支持枠１の下端には当接片１５を被測定物１７の中心に当接させるための凹部３１を形成することが望ましい。図４参照。
【００３３】
凹部３１は当接片１５を被測定物１７の中心に当接させ得るものであれば、如何なる形状を備えたものであってもよい。
【００３４】
符号３３に示すものは、作動板９に備えさせた突起であり、該突起３３を指で押下することにより作動板９を下降させることができる。
【００３５】
符号３５に示すものはカバーである。
【００３６】
次に、ばね式のテンションゲージ１３の一例について、主として図５を参照して、説明する。
【００３７】
符号４１に示すものは作動板９に固定されるテンションゲージ本体である。テンションゲージ本体４１をスピンドル４３が上下方向に貫通している。
【００３８】
テンションゲージ本体４１とスピンドル４３との間には、該スピンドル４３を常時上方に引く引っ張りばね４５が取り付けられている。
【００３９】
被測定物１７の表面に粘着されている当接片１５が引っ張りばね４５の力に抗してテンションゲージ本体４１に対して相対的に下方に引かれる力が被測定物１７の粘着力として測定される。
【００４０】
符号４７に示すものは調整ねじ、符号４９に示すものは調整金具である。符号５１に示すものは目盛板である。
【図面の簡単な説明】
【００４１】
【図１】本考案による粘着力テスターの一例を示す断面図である。
【図２】同上粘着力テスターにおいて作動板を下降させた状態を示す断面図である。
【図３】同上粘着力テスターの正面図である。
【図４】同上粘着力テスターの側面図である。
【図５】ばね式のテンションゲージの一例を示す断面図である。
【符号の説明】
【００４２】
１  支持枠
１ａ  板状体
１ｂ  板状体
３  上側固定板
５  下側固定板
７  案内手段
７ａ  案内手段
７ｂ  案内手段
９  作動板
１１  ばね
１３  ばね式のテンションゲージ
１５  当接片
１６  ねじ
１７  被測定物
１９  案内杆
２１  摺接管
２３  雄ねじ棒
２３ａ  上端
２３ｂ  下端
２５  雌ねじ部
２７  軸受
２９  軸受
３１  凹部
３３  突起
３５  カバー
４１  テンションゲージ本体
４３  スピンドル
４５  引っ張りばね
４７  調整ねじ
４９  調整金具
５１  目盛板
【図１】
0003123580.tif 000003
【図２】
0003123580.tif 000004
【図３】
0003123580.tif 000005
【図４】
0003123580.tif 000006
【図５】
0003123580.tif 000007